(57)【要約】【課題】  添付書類を重ねた原稿の読み取り画像をより簡便に取得するための技術を提供すること。【解決手段】  原稿読み取り装置であって、セットされた原稿を指定距離だけ搬送させてから該搬送を停止させ、該搬送の再開指示が入力されると該搬送を再開させる。【選択図】  図１
2017063380.tif 000002
【特許請求の範囲】
【請求項１】
原稿読み取り装置であって、
セットされた原稿を指定距離だけ搬送させてから該搬送を停止させ、該搬送の再開指示が入力されると該搬送を再開させる制御手段を備えることを特徴とする原稿読み取り装置。
【請求項２】
更に、
前記原稿の搬送方向における先端部と、前記原稿において添付書類を重ねる領域の該搬送方向における先端部と、の間の距離を前記指定距離として取得する手段を備えることを特徴とする請求項１に記載の原稿読み取り装置。
【請求項３】
更に、
搬送路の上流側と下流側とに搬送ローラを備え、
前記制御手段は、前記原稿の搬送方向における先端部が前記上流側のローラを通過してから前記指定距離だけ該原稿を搬送させてから停止させる
ことを特徴とする請求項１又は２に記載の原稿読み取り装置。
【請求項４】
前記制御手段は、
前記再開指示が入力されると、前記停止の前の搬送速度よりも低い搬送速度で前記搬送を再開させ、
前記搬送を再開してからの前記原稿の搬送距離が前記上流側のローラによる挟持位置と前記下流側のローラによる挟持位置との間の距離に達した場合には、搬送速度を前記停止の前の搬送速度に上げることを特徴とする請求項３に記載の原稿読み取り装置。
【請求項５】
前記制御手段は、前記搬送を停止させると、該停止を音声出力及び／又は画面出力によって通知することを特徴とする請求項１乃至４の何れか１項に記載の原稿読み取り装置。
【請求項６】
ホストコンピュータと原稿読み取り装置とを有するシステムであって、
前記ホストコンピュータは、
原稿の搬送方向における先端部と、該原稿上に重ねる添付書類の領域の該搬送方向における先端部と、の間の距離を設定する設定手段と、
前記距離を前記原稿読み取り装置に対して送信する送信手段とを備え、
前記原稿読み取り装置は、
前記送信手段が送信した距離を受信する受信手段と、
セットされた原稿を前記受信手段が受信した距離だけ搬送させてから該搬送を停止させ、該搬送の再開指示が入力されると該搬送を再開させる制御手段を備える
ことを特徴とするシステム。
【請求項７】
原稿読み取り装置の制御方法であって、
セットされた原稿を指定距離だけ搬送させてから該搬送を停止させ、該搬送の再開指示が入力されると該搬送を再開させることを特徴とする原稿読み取り装置の制御方法。
【発明の詳細な説明】
【技術分野】
【０００１】
本発明は、原稿読み取り技術に関するものである。
【背景技術】
【０００２】
従来、原稿の搬送路上に画像読取部を配置し、該搬送路に搬送される原稿の画像を該画像読取部で読取る画像読取装置が提案されている。画像読取部が読み取り対象とする原稿の中には、原稿の一部に領収書やIDカード、証明写真等の添付書類を貼りこみ、重ねて搬送することで１枚の原稿とするものがある（特許文献１）。この方法で添付書類付き原稿を電子化して保存する場合、搬送する原稿に予め添付書類を貼り付けて固定し、一枚の原稿として読取る必要がある。
【先行技術文献】
【特許文献】
【０００３】
【特許文献１】特開２０１２−１０１９４１号公報
【発明の概要】
【発明が解決しようとする課題】
【０００４】
しかしながら、従来の添付書類付き原稿のイメージ取得方法には幾つかの問題点がある。粘着テープや接着剤等の固定剤を用いて原稿に直接添付書類を貼り付けて該原稿を読み取る場合、画像読取装置で原稿の読み取りが完了した後、原稿から添付書類を取り除く際に、固定剤の接着力により原稿ないし添付書類のどちらか、あるいは両方に破損をきたす可能性がある。
【０００５】
また上記課題の解決策として、原稿と添付書類を別々に読取り、取得した画像に画像処理を施して、原稿画像の所定位置に添付書類の画像を貼りこむ等の方法が考えられる。しかしこの場合、原稿と添付書類を別々に読取る必要があり、更に、読み込んだ原稿画像の所定位置に添付書類の画像を貼り付ける画像処理作業を行うことになるため、大変手間がかかる。
【０００６】
本発明はこのような問題に鑑みてなされたものであり、添付書類を重ねた原稿の読み取り画像をより簡便に取得するための技術を提供する。
【課題を解決するための手段】
【０００７】
本発明の一様態は、原稿読み取り装置であって、セットされた原稿を指定距離だけ搬送させてから該搬送を停止させ、該搬送の再開指示が入力されると該搬送を再開させる制御手段を備えることを特徴とする。
【発明の効果】
【０００８】
本発明の構成によれば、添付書類を重ねた原稿の読み取り画像をより簡便に取得することができる。
【図面の簡単な説明】
【０００９】
【図１】原稿読み取り装置の外観例を示す図。
【図２】原稿読み取り装置１及びホストコンピュータ４を示す図。
【図３】原稿読み取り装置１が有する原稿読み取り機構の断面図。
【図４】原稿読み取り装置１の機能構成例を示すブロック図。
【図５】ＧＵＩの表示例を示す図。
【図６】ＧＵＩの表示例を示す図。
【図７】図８の状態を俯瞰した様子を示す図。
【図８】原稿読み取り装置１の原稿読み取り機構の断面図。
【図９】原稿の搬送開始から搬送終了までの搬送速度の変化を示す図。
【図１０】添付書類の最小サイズについて説明する図。
【図１１】ホストコンピュータ４が行う処理のフローチャート。
【図１２】原稿読み取り装置１による原稿読み取り動作のフローチャート。
【図１３】ステップＳ２００５における処理の詳細を示すフローチャート。
【図１４】ステップＳ３００４における処理の詳細を示すフローチャート。
【発明を実施するための形態】
【００１０】
以下、添付図面を参照し、本発明の好適な実施形態について説明する。なお、以下説明する実施形態は、本発明を具体的に実施した場合の一例を示すもので、特許請求の範囲に記載の構成の具体的な実施例の１つである。
【００１１】
［第１の実施形態］
本実施形態に係る原稿読み取り装置の外観例を図１に示す。図１に示した原稿読み取り装置１には、該原稿読み取り装置１に供給する原稿を保持するための原稿載置部３、原稿載置部３に積載されている原稿の搬送路２、が設けられている（図１では搬送路２は、搬送路２の取り込み口のみが示されている）。原稿載置部３に積載されている原稿は搬送路２に搬送されて読み取られ、その後、画像読取装置１を挟んで原稿載置部３と反対側に排紙される。
【００１２】
このような原稿読み取り装置１は、図２に示す如く、通信ケーブル５を介してホストコンピュータ４に接続されており、１つのシステムを形成している。ホストコンピュータ４は、ユーザが操作することで、原稿読み取り装置１による原稿読み取りの設定を行ったり、原稿読み取り装置１に対して原稿読み取り指示を行ったりすることができる。なお、ホストコンピュータ４と原稿読み取り装置１との間の接続は、通信ケーブル５を介しての接続に限るものではなく、通信可能に接続されていれば如何なる接続形態を採用しても構わない。
【００１３】
次に、原稿読み取り装置１が有する原稿読み取り機構について、図３の断面図を用いて説明する。
【００１４】
原稿載置部３に載置されている原稿９０ａは、給紙ローラ１０及び分離パッド１１によって１枚ずつ分離されて、搬送路２に搬送される。搬送路２の上流側に設けられている搬送ローラ６ａ、６ｂは、給紙ローラ１０及び分離パッド１１によって搬送路２に搬送された１枚ずつの原稿を挟持して下流側へと搬送する。レジストセンサ９は、搬送ローラ６ａ、６ｂにより搬送された原稿の通過を検知する（厳密には搬送方向における原稿の端部（先端部及び後端部）を検知する）。搬送路２に設けられている画像読み取りセンサ７ａ、７ｂは、CMOSセンサ等の受光素子を用いたセンサであり、それぞれ、搬送ローラ６ａ、６ｂにより搬送されてきた原稿の一方面、他方面を読み取り、読み取った結果を画像として出力する。搬送路２の下流側に設けられている搬送ローラ（排紙ローラ）８ａ、８ｂは、搬送ローラ６ａ、６ｂにより搬送されてきた原稿を外部へと排紙する。
【００１５】
なお、原稿読み取り装置１に適用可能な原稿読み取り機構は、図３に示した機構に限るものではなく、様々な機構が適用可能である。例えば、分離パッド１１は、複数枚の原稿を分離させて、一枚ずつ原稿を原稿読み取り装置１内に給紙する為のものであるから、必ずしもパッド形状である必要はない。また、画像読み取りセンサ７ａ、７ｂは、搬送路２に搬送されてきた対象を画像として読み取ることができるのであれば、如何なるセンサを用いても構わない。また、図３では、原稿の両面を読み取るべく、原稿の一方面を読み取る画像読み取りセンサ７ａと、他方面を読み取る画像読み取りセンサ７ｂと、を設けているが、原稿の他面だけを読み取るべく、画像読み取りセンサ７ａ、７ｂの何れか一方だけを設けるようにしても構わない。
【００１６】
次に、原稿読み取り装置１の機能構成例について、図４のブロック図を用いて説明する。
【００１７】
Ｉ／Ｆ（インターフェース）８８は、原稿読み取り装置１にホストコンピュータ４を接続するためのインターフェースとして機能するものであり、原稿読み取り装置１は、このＩ／Ｆ８８を介してホストコンピュータ４との間のデータ通信を行う。
【００１８】
ＣＰＵ８０は、メモリ８９に格納されているコンピュータプログラムやデータを用いて処理を実行することで、原稿読み取り装置１全体の動作制御を行うと共に、原稿読み取り装置１が行うものとして後述する各処理を実行若しくは制御する。
【００１９】
メモリ８９には、原稿読み取り装置１が行うものとして後述する各処理をＣＰＵ８０に実行若しくは制御させるためのコンピュータプログラムやデータが格納されている。メモリ８９に格納されているデータには、以下の説明において既知の情報として取り扱う情報も含まれている。
【００２０】
給紙部８１は、上記の給紙ローラ１０、搬送ローラ６ａ、６ｂに該当するものであり、原稿載置部３に載置されている原稿束を１枚ずつ搬送路２に搬送するためのものである。
【００２１】
排紙部８２は、上記の搬送ローラ８ａ、８ｂに該当するものであり、搬送ローラ６ａ、６ｂによって搬送路２の上流から搬送されてきた原稿を外部へと排紙するためのものである。
【００２２】
画像読み取り部８３は、上記の画像読み取りセンサ７ａ、７ｂに該当するものであり、搬送ローラ６ａ、６ｂにより搬送されてきた原稿の一方面及び他方面を読み取り、読み取った結果を画像として出力する。
【００２３】
搬送停止部８４は、搬送ローラ６ａ、６ｂ及び搬送ローラ８ａ、８ｂの動作を停止させることで、原稿の搬送を停止させるためのものである。
【００２４】
搬送再開指示部８５は、搬送停止部８４によってその動作が停止された搬送ローラ６ａ、６ｂ及び搬送ローラ８ａ、８ｂの動作を再開させるためのものである。
【００２５】
搬送停止位置指示部８６は、ホストコンピュータ４からＩ／Ｆ８８を介して受信した情報に基づいて、搬送停止部８４による原稿の搬送停止タイミングを判断し、該原稿の搬送停止タイミングで搬送停止部８４に原稿の搬送停止を指示する。
【００２６】
原稿重ね搬送位置通知部８７は、搬送停止部８４による原稿の搬送停止をユーザに通知する。
【００２７】
次に、ホストコンピュータ４が行う処理について、図１１のフローチャートを用いて説明する。
【００２８】
＜ステップＳ１００１＞
ホストコンピュータ４のユーザは、不図示の操作部を操作して、原稿読み取り装置１による原稿読み取りの設定操作を行うので、ホストコンピュータ４は、ユーザによって設定された原稿読み取りの設定内容を示す設定情報を作成する。そしてユーザが操作部を操作して原稿読み取り指示を入力すると、ホストコンピュータ４は、この設定情報を含む、原稿読み取り指示を、原稿読み取り装置１に対して送信する。
【００２９】
＜ステップＳ１００２＞
原稿読み取り装置１は、ホストコンピュータ４から送信された設定情報に基づいて原稿の読み取り動作を行い、該読み取り動作により得られる原稿の画像をホストコンピュータ４に対して送信する。ホストコンピュータ４は、原稿読み取り装置１から送信された原稿の読み取り画像を受信してモニタなどの表示装置に表示する。原稿の読み取り画像の出力先はモニタに限らない。
【００３０】
次に、原稿読み取り装置１による原稿読み取り動作について、図１２のフローチャートを用いて説明する。
【００３１】
＜ステップＳ２００１＞
ＣＰＵ８０は、原稿載置部３に原稿が載置されているか否かを、不図示の原稿検知センサからの通知に基づいて判断する。もちろん、原稿載置部３に原稿が載置されているか否かは、他の手法により判断しても構わない。この判断の結果、原稿載置部３に原稿が載置されている場合には、処理はステップＳ２００２に進み、載置されていない場合には、図１２のフローチャートに従った処理は終了する。
【００３２】
＜ステップＳ２００２＞
ＣＰＵ８０による制御の元、原稿載置部３に載置されている原稿は給紙ローラ１０及び分離パッド１１によって１枚ずつ分離されて、搬送路２に搬送され、搬送ローラ６ａ、６ｂは、給紙ローラ１０及び分離パッド１１によって搬送路２に搬送された１枚ずつの原稿を挟持して下流側へと搬送する。
【００３３】
＜ステップＳ２００３＞
ＣＰＵ８０による制御の元、画像読み取りセンサ７ａ、７ｂはそれぞれ、搬送ローラ６ａ、６ｂにより搬送されてきた原稿の一方面、他方面の読み取り動作を行う。ここで、搬送ローラ６ａ、６ｂによる原稿の搬送速度をｖ、レジストセンサ９と画像読み取りセンサ７ａとの間の距離をＬ１、とすると、ＣＰＵ８０は、レジストセンサ９が搬送方向における原稿の先端部を検知してから（Ｌ１／ｖ）だけ時間が経過したタイミングで、画像読み取りセンサ７ａに原稿読み取りを開始させる。同様に、レジストセンサ９と画像読み取りセンサ７ｂとの間の距離をＬ２、とすると、ＣＰＵ８０は、レジストセンサ９が搬送方向における原稿の先端部を検知してから（Ｌ２／ｖ）だけ時間が経過したタイミングで、画像読み取りセンサ７ｂに原稿読み取りを開始させる。時間の計時はＣＰＵ８０が有するタイマ機能を使用すればよい。
【００３４】
＜ステップＳ２００４＞
ＣＰＵ８０は、図１２のフローチャートに従った処理の開始前にホストコンピュータ４から受信した設定情報を参照し、該設定情報において、原稿搬送の一時停止が設定されているか否かを判断する。この判断の結果、設定されている場合には、処理はステップＳ２００５に進み、設定されていない場合には、処理はステップＳ２００６に進む。
【００３５】
＜ステップＳ２００５＞
ＣＰＵ８０による制御の元、原稿の搬送開始から、設定情報において規定されている規定距離だけ搬送してから原稿の搬送を一時的に停止させ、その後、搬送再開の指示を受けると、搬送を再開させる。ステップＳ２００５における処理の詳細については図１３，１４のフローチャートを用いて後述する。
【００３６】
＜ステップＳ２００６＞
ＣＰＵ８０による制御の元、レジストセンサ９等により、画像読み取りセンサ７ａ、７ｂが搬送方向において原稿の後端部分までを読み取ったことを検知した場合には、画像読み取りセンサ７ａ、７ｂの動作を停止させることで、原稿の読み取り動作を停止させる。画像読み取りセンサ７ａ、７ｂが搬送方向において原稿の後端部分までを読み取ったことを検知するための手法には様々な手法があり、如何なる手法を採用しても構わない。
【００３７】
＜ステップＳ２００７＞
ＣＰＵ８０による制御の元、搬送ローラ８ａ、８ｂは、搬送ローラ６ａ、６ｂにより搬送されてきた原稿を外部へと排紙する。なお、ステップＳ２００６及びステップＳ２００７の何れのステップにおいて、ＣＰＵ８０は、画像読み取りセンサ７ａ、７ｂが読み取った原稿画像をＩ／Ｆ８８を介してホストコンピュータ４に対して送信する。もちろん、画像読み取りセンサ７ａ、７ｂが読み取った画像に対して適当な画像処理を施してから送信しても構わないし、その送信タイミングはステップＳ２００６及びステップＳ２００７の何れのステップでなくても構わない。
【００３８】
次に、上記の設定情報についてより詳細に説明する。この設定情報は、ホストコンピュータ４側で作成され、図１２のフローチャートの開始前には原稿読み取り装置１に対して送信される。ホストコンピュータ４側の表示画面に表示される、原稿読み取り設定を行うためのＧＵＩ（グラフィカルユーザインターフェース）の表示例を図５に示す。
【００３９】
図５のＧＵＩ２０では、原稿の読み取りモード（図５では「白黒」）、読み取る原稿（用紙）のサイズ（図５では「Ａ４」）、読み取り解像度（図５では「３００ｄｐｉ」）、読み取る原稿の面（図５では「片面」）、読み取った画像のファイル形式（図５では「ＰＤＦファイル」）、ＯＣＲの設定（図５では「日本語」）、原稿の搬送を一時的に停止するか否か（図５では「ＯＮ」（停止する））、を設定することができる。ユーザはホストコンピュータ４に設けられている不図示の操作部を用いて対応するプルダウンメニューを指示してそれぞれの設定項目について設定を行うことができる。そしてユーザがボタン２３を指示すると、ホストコンピュータ４は、ＧＵＩ２０を用いて設定した内容（図６のＧＵＩ３０を用いて設定を行った場合にはＧＵＩ３０を用いて設定した内容も含む）を設定情報として作成し、該設定情報を含む原稿読み取り指示を原稿読み取り装置１に対して送信する。一方、ユーザがボタン２４を指示すると、ホストコンピュータ４は、ＧＵＩ２０を用いて設定した内容は破棄する。
【００４０】
また、ユーザが「原稿の搬送を一時的に停止するか否か」を設定するためのプルダウンメニュー２１を操作して「ＯＮ」に設定した場合、ボタン２２が有効（指示可能な状態）となる。ユーザがボタン２２を指示すると、ホストコンピュータ４は、ＧＵＩ２０の代わりに、図６に示すＧＵＩ３０をホストコンピュータ４の表示画面に表示させる。
【００４１】
領域３２には、原稿の搬送を一時停止させた後に該原稿上に重ねて配置する添付書類（写真、ＩＤカードなど）の配置位置やサイズを設定するためのプルダウンメニューが配置されている。
【００４２】
プルダウンメニュー３２ａは、原稿の左端から添付書類を重ねる領域の左端までの距離を入力するためのものであり、プルダウンメニュー３２ａに並んでいる何れかの値を選択しても良いし、直接入力しても良い。
【００４３】
プルダウンメニュー３２ｂは、原稿の上端から添付書類を重ねる領域の上端までの距離を入力するためのものであり、プルダウンメニュー３２ｂに並んでいる何れかの値を選択しても良いし、直接入力しても良い。
【００４４】
ここで、本実施形態では、原稿の上端を搬送方向の先端部とするように原稿読み取り装置１に給紙することを前提とするので、原稿の左端、上端は、このような前提の元で規定される。
【００４５】
プルダウンメニュー３２ｃは、添付書類の幅（走査方向のサイズ）を入力するためのものであり、プルダウンメニュー３２ｃに並んでいる何れかの値を選択しても良いし、直接入力しても良い。
【００４６】
プルダウンメニュー３２ｄは、添付書類の長さ（副走査方向のサイズ）を入力するためのものであり、プルダウンメニュー３２ｄに並んでいる何れかの値を選択しても良いし、直接入力しても良い。
【００４７】
領域４０は、読み取り対象となる原稿の全体領域を示すものであり、この領域４０内には、プルダウンメニュー３２ａ〜３２ｄによって規定される「添付書類を重ねる領域を示す画像３４」、添付書類を重ねることのできない領域を示す画像３５、が重ねて表示される。
【００４８】
画像３４の左上隅の位置は、「原稿の左上隅の位置から水平方向（右方向）にプルダウンメニュー３２ａで指定した値だけシフトし、且つ垂直方向（下方向）にプルダウンメニュー３２ｂで指定した値だけシフトした位置」に相当する領域４０上の位置である。画像３４の幅及び長さはそれぞれ、プルダウンメニュー３２ｃ、３２ｄで指定した幅及び長さを実際の原稿のサイズに対する領域４０の縮尺に応じて縮小した幅及び長さである。然るに、ユーザがプルダウンメニュー３２ａ〜３２ｄを操作して値を変更するたびに、領域４０内における画像３４の位置やサイズは、プルダウンメニュー３２ａ〜３２ｄを操作して設定した値に応じてリアルタイムで変更されることになる。
【００４９】
画像３５についてであるが、添付書類は原稿上のどこに配置しても良いわけではなく、分離パッド１１等により、添付書類の重ね搬送を行うことが出来ない領域が存在する。このような領域は原稿のサイズ毎に予め分かっているため、ホストコンピュータ４は、原稿のサイズ毎にこのような領域を管理しておき、図５のＧＵＩ２０において設定された用紙サイズに対応する領域を示す画像を画像３５として領域４０内に配置する。
【００５０】
領域３６は、添付書類を重ねることのできる領域である。然るに、画像３５は領域３６と異なる表示形態でもって表示すればよい。
【００５１】
プレスキャンボタン３３は、画像３４の表示／非表示を切り替えるためのボタンで、押下するたびに画像３４の表示／非表示を切り替えることができる。
【００５２】
ユーザがボタン３８を指示すると、ホストコンピュータ４は、図６のＧＵＩ３０を用いて設定した内容を保存し、ＧＵＩ３０の代わりにＧＵＩ２０をホストコンピュータ４の表示画面に表示させる。その後、ユーザがボタン２３を指示すると、図５のＧＵＩ２０及び図６のＧＵＩ３０を用いて設定された内容を示す設定情報を含む原稿読み取り指示が原稿読み取り装置１に対して送出される。
【００５３】
一方、ボタン３９が指示されると、ホストコンピュータ４は、図６のＧＵＩ３０を用いて設定した内容は破棄し、ＧＵＩ３０の代わりにＧＵＩ２０をホストコンピュータ４の表示画面に表示させる。
【００５４】
更に、ユーザが原稿に添付書類を重ねる際、重ね搬送可能な添付書類のサイズを明確に通知するために、添付書類の最大サイズ及び最小サイズをＧＵＩ３０上に表示しても構わない。ここで、添付書類の最小サイズについて、図１０を用いて説明する。
【００５５】
図１０では、添付書類９０ｂの後端が搬送ローラ６ａ，６ｂを抜けた際に、添付書類９０ｂの先端が搬送ローラ８ａ，８ｂに到達していないケースを示している。図１０の状態では、搬送ローラ６ａ，６ｂならびに搬送ローラ８ａ，８ｂは、どちらも添付書類９０ｂを噛んでいない。そのため添付書類９０ｂは原稿９０ａ上に固定されず、添付書類９０ｂの不送りや、原稿画像に添付書類９０ｂの位置ずれ等が発生する可能性がある。そのため、必ずＧＵＩ３０で設定する添付書類９０ｂの最小サイズ（搬送方向におけるサイズ（長さ））は、搬送ローラ６ａ，６ｂと搬送ローラ８ａ，８ｂとの間の距離以上とし、搬送時に必ず搬送ローラ６ａ，６ｂ及び搬送ローラ８ａ，８ｂの少なくとも一方が添付書類９０ｂを噛んだ状態となるように設定する。
【００５６】
次に、上記のステップＳ２００５における処理の詳細について、図１３のフローチャートを用いて説明する。
【００５７】
＜ステップＳ３００１＞
ＣＰＵ８０は、搬送ローラ６ａ、６ｂの駆動モータに取り付けられたエンコーダから、搬送ローラ６ａ、６ｂによる現在の原稿の搬送距離Ｌ（搬送方向において原稿の先端部から搬送ローラ６ａ、６ｂが原稿を挟持する位置までの距離）を取得し、該取得した距離が、設定情報において規定されている「プルダウンメニュー３２ｂで指定した値ｄ」に達したか否かを判断する。すなわち、原稿において添付書類を重ねる領域の上端部（搬送停止位置）が搬送ローラ６ａ、６ｂに達したか否かを判断する。搬送距離Ｌが値ｄに達したか否か、すなわち、原稿において添付書類を重ねる領域の上端部が搬送ローラ６ａ、６ｂに達したか否かを判断するための構成については様々な構成が考えられ、特定の構成に限るものではない。この判断の結果、搬送距離Ｌが値ｄに達した場合には、処理はステップＳ３００２に進み、達していない場合には、搬送は続けられる。
【００５８】
＜ステップＳ３００２＞
ＣＰＵ８０は、搬送ローラ６ａ、６ｂ及び搬送ローラ８ａ、８ｂの駆動モータを制御して、原稿の搬送を停止させる。ステップＳ３００２に処理が進んだ時点での原稿読み取り装置１の原稿読み取り機構の状態を示す断面図を図８に示す。図８では説明上、図６のＧＵＩ３０を用いて設定した位置に添付書類９０ｂを仮想的に配置している。
【００５９】
図８に示す如く、ステップＳ３００２に処理が進んだ時点で、原稿９０ａにおいて添付書類９０ｂを重ねる領域の上端部（搬送停止位置）が搬送ローラ６ａ、６ｂによる挟持位置に達している。この状態では、搬送ローラ６ａ、６ｂ及び搬送ローラ８ａ、８ｂは何れも原稿９０ａを噛んだ状態となる。このとき、ＣＰＵ８０は、原稿９０ａがずれないように、駆動モータのトルクを落とさずに搬送を停止させることで、原稿９０ａの停止力を増大させる。その後、ユーザは添付書類９０ｂの搬送方向における先端部を搬送ローラ６ａ，６ｂに突き当てるように原稿９０ａ上に重ねるだけで、ＧＵＩ３０を用いて設定した添付書類の配置位置に添付書類９０ｂを配置することができる。図８の状態を俯瞰した様子を図７に示す。
【００６０】
なお、本ステップでは、ＣＰＵ８０は更に、音声出力及び／又は画面出力などの形態でもって、原稿において添付書類を重ねる領域の上端部が搬送ローラ６ａ、６ｂに達したことを通知する。通知のタイミングや形態については特定のタイミング、形態に限るものではない。もちろん、原稿において添付書類を重ねる領域の上端部が搬送ローラ６ａ、６ｂに達したことをホストコンピュータ４に通知し、ホストコンピュータ４が、原稿において添付書類を重ねる領域の上端部が搬送ローラ６ａ、６ｂに達したことを音声出力や画面出力などによって通知しても構わない。また、通知の内容は、「原稿において添付書類を重ねる領域の上端部が搬送ローラ６ａ、６ｂに達したこと」から導出可能な内容であれば、如何なる内容であっても良く、例えば、「原稿の搬送を停止させましたので、添付書類を配置してください」のように、添付書類の配置を促す通知であっても良い。
【００６１】
＜ステップＳ３００４＞
ユーザは添付書類を原稿上に重ねた後、原稿読み取り装置１に備わっている不図示の操作部やホストコンピュータ４に備わっている操作部を操作して、搬送再開指示を入力する。ＣＰＵ８０は、この搬送再開指示の入力を検知すると、搬送ローラ６ａ、６ｂ及び搬送ローラ８ａ、８ｂの駆動モータを制御して、原稿の搬送を再開させる。これにより、ＧＵＩ３０により設定された位置に添付書類が重ねられた原稿が搬送路２に搬送されることになり、このような原稿が画像読み取りセンサ７ａ、７ｂによって読み取られることになる。ステップＳ３００４における処理の詳細について、図１４のフローチャートを用いて説明する。
【００６２】
＜ステップＳ４００１＞
ＣＰＵ８０は、搬送再開指示を検知したか否かを判断する。この判断の結果、検知した場合には処理はステップＳ４００２に進み、検知していない場合には、処理はステップＳ４００１で待機する。
【００６３】
＜ステップＳ４００２＞
ＣＰＵ８０は、搬送ローラ６ａ、６ｂ及び搬送ローラ８ａ、８ｂの駆動モータを制御して、原稿の搬送を再開させる。なお、ここで再開される搬送の速度は、上記のステップＳ２００２で開始した搬送の速度よりも低いことに注意されたい。これは、ユーザが添付書類の搬送を安定させるために、手を添えるなど補助動作を行うことが出来るようにするためである。
【００６４】
＜ステップＳ４００３＞
ＣＰＵ８０は、搬送ローラ６ａ、６ｂの駆動モータに取り付けられたエンコーダから、原稿の搬送を再開してからの原稿の搬送距離を取得し、該取得した搬送距離が、搬送ローラ６ａ、６ｂによる挟持位置と搬送ローラ８ａ、８ｂによる挟持位置との間の距離に達したか否かを判断する。この判断の結果、達したと判断した場合には、添付書類の搬送方向における上端部及び下端部はそれぞれ、搬送ローラ６ａ、６ｂ及び搬送ローラ８ａ、８ｂによって挟持されているものと判断し、処理はステップＳ４００４に進み、達していない場合には、搬送は続けられる。
【００６５】
なお、添付書類の搬送方向における上端部及び下端部がそれぞれ、搬送ローラ６ａ、６ｂ及び搬送ローラ８ａ、８ｂによって挟持されていることを検知するための手法についてはこの手法に限るものではなく、様々な手法が考えられる。
【００６６】
＜ステップＳ４００４＞
ＣＰＵ８０は、搬送ローラ６ａ、６ｂ及び搬送ローラ８ａ、８ｂの駆動モータを制御して、搬送速度をステップＳ２００２で開始した搬送の速度に上げることで、搬送速度を加速させる。
【００６７】
原稿の搬送開始から搬送終了までの搬送速度の変化について、図９を用いて説明する。図９において横軸は搬送開始からの経過時間を示し、縦軸は搬送速度を示している。ステップＳ２００２で開始した搬送の速度はＶａである。そしてステップＳ３００２でＣＰＵ８０が搬送ローラ６ａ、６ｂ及び搬送ローラ８ａ、８ｂの駆動モータを制御して原稿の搬送を停止させようとすると、搬送速度は急激に減少し、タイミング１００で０となる。そしてユーザが搬送再開指示を入力し、ＣＰＵ８０がタイミング１０２で該搬送再開指示を検知すると、ＣＰＵ８０は、搬送ローラ６ａ、６ｂ及び搬送ローラ８ａ、８ｂの駆動モータを制御し、搬送速度Ｖｂ＜Ｖａで原稿の搬送を再開させる。そして、ステップＳ４００３においてＣＰＵ８０が、原稿の搬送を再開してからの原稿の搬送距離が、搬送ローラ６ａ、６ｂによる挟持位置と搬送ローラ８ａ、８ｂによる挟持位置との間の距離に達したと判断したタイミング１０５以降は、ＣＰＵ８０は、搬送ローラ６ａ、６ｂ及び搬送ローラ８ａ、８ｂの駆動モータを制御して、搬送速度をＶａに上げることで、搬送速度を加速させる。
【００６８】
［第２の実施形態］
第１の実施形態では、原稿読み取り装置１による原稿読み取りの設定はホストコンピュータ４において行い、ホストコンピュータ４が該原稿読み取りの設定内容を示す設定情報を生成して原稿読み取り装置１に対して送信していた。しかし、原稿読み取りの設定及び設定情報の生成を原稿読み取り装置１が行うようにしても構わない。その場合、原稿読み取り装置１には、図５，６に示したようなＧＵＩを表示するための表示部と、該ＧＵＩを操作するためにユーザが操作するインターフェースと、を設ける必要がある。そしてその場合、原稿読み取り装置１は、設定情報はホストコンピュータ４から受信するのではなく、自身で生成してメモリ８９等に格納しておいた生成情報を取得することになる。
【００６９】
また、第１の実施形態では図５のＧＵＩ２０、図６のＧＵＩ３０を用いて設定した内容に基づく設定情報を生成したが、セットされた原稿を指定距離だけ搬送させてから該搬送を停止させ、該搬送の再開指示が入力されると該搬送を再開させる制御を可能にするのであれば、設定内容は図５，６に示したものに限らない。
【００７０】
以上をまとめると、上記の様々な実施形態によれば、原稿に直接添付書類を貼り付ける必要が無くなるだけでなく、一度の画像読取で原稿の読み取り画像の指定箇所に添付書類の読み取り画像の挿入を行うことが出来るため、複数回にわたって画像読取を行う必要が無くなる。
【００７１】
更に、再搬送開始時の搬送速度を低速化することにより、原稿読み取り装置のユーザは、原稿の重ね搬送時に添付書類がずれないよう、手動で搬送の補助動作を行う時間を設けることが出来る。
【符号の説明】
【００７２】
８０：ＣＰＵ  ８４：搬送停止部  ８５：搬送再開指示部
【図１】
2017063380.tif 000003
【図２】
2017063380.tif 000004
【図３】
2017063380.tif 000005
【図４】
2017063380.tif 000006
【図５】
2017063380.tif 000007
【図６】
2017063380.tif 000008
【図７】
2017063380.tif 000009
【図８】
2017063380.tif 000010
【図９】
2017063380.tif 000011
【図１０】
2017063380.tif 000012
【図１１】
2017063380.tif 000013
【図１２】
2017063380.tif 000014
【図１３】
2017063380.tif 000015
【図１４】
2017063380.tif 000016